(57)【要約】【課題】  行先表示対象者の所在位置に応じた行先を検知し当該行先を表示でき、その上、行先を表示する表示装置の追加作業を容易にする。【解決手段】  行先提示システム１の受信機３は、個人識別情報を保持している情報保持体から個人識別情報を取得する。データ管理装置４は、受信機３が取得した個人識別情報と当該受信機３の識別情報を受信機３から受け取る。データ管理装置４は、受信機３が取得した個人識別情報および当該受信機３の識別情報と、受信機３の設置位置を表すデータとに基づいて、その個人識別情報を保持している情報保持体の所持者である登録者の所在位置を検知し当該所在位置の情報を記憶装置に書き込む。データ管理装置４は、表示装置からの情報要求に応じた登録者の所在位置情報を記憶装置から読み出し、当該読み出した所在位置情報を、情報要求を発した表示装置に返信する。表示装置により登録者の行先が表示される。【選択図】      図１
2017068626.tif 000002
【特許請求の範囲】
【請求項１】
個人識別情報を保持している情報保持体から前記個人識別情報を取得する受信機と、
前記受信機と接続され前記受信機が取得した前記個人識別情報および当該受信機の識別情報を受け取るデータ管理装置と
を備え、
前記データ管理装置は、
受け取った前記個人識別情報と、前記受信機の識別情報と、前記受信機の識別情報とその受信機の設置位置情報とが関連付けられているデータとに基づいて、受け取った前記識別情報を持つ前記受信機の設置位置を検知し、当該検知した受信機の設置位置を、その受信機から受け取った前記個人識別情報を保持している前記情報保持体の所持者として登録されている登録者の所在位置として検知する機能と、
当該検知した所在位置の情報を前記登録者の所在位置情報として当該登録者の前記個人識別情報と関連付けられた形態で内蔵あるいは外付けの記憶装置に書き込む機能と、
前記登録者の所在位置情報に基づいて当該登録者の行先情報を表示する表示装置からの情報要求に応じた前記登録者の所在位置情報を前記記憶装置から読み出し、当該読み出した所在位置情報を、前記情報要求を発した前記表示装置に返信する機能と
を備える行先提示システム。
【請求項２】
前記データ管理装置から取得した前記登録者の前記所在位置情報に基づいて当該登録者の行先情報を表示する表示装置をさらに備える請求項１に記載の行先提示システム。
【請求項３】
前記表示装置は、行先表示対象として指定された前記登録者の前記所在位置情報を要求する前記情報要求を設定のタイミング毎に前記データ管理装置に送信することにより取得した前記登録者の前記所在位置情報に基づいて、前記登録者の行先として表示している表示内容を前記設定のタイミング毎に更新する請求項２に記載の行先提示システム。
【請求項４】
前記受信機は、前記個人識別情報を取得した際に当該個人識別情報の取得時刻情報を前記個人識別情報に関連付ける機能をさらに備え、
前記データ管理装置は、前記記憶装置に前記登録者の所在位置情報を書き込む場合に、その所在位置情報に前記登録者の前記個人識別情報に関連付けられている取得時刻情報をも関連付けられた形態で前記記憶装置に書き込む請求項１又は請求項２又は請求項３に記載の行先提示システム。
【請求項５】
前記表示装置に表示される前記登録者の行先情報として、前記取得時刻情報をも表示される請求項４に記載の行先提示システム。
【請求項６】
個人識別情報を保持している情報保持体から前記個人識別情報を取得する受信機が取得した前記個人識別情報および当該受信機の識別情報を受け取り、
受け取った前記個人識別情報と、前記受信機の識別情報と、前記受信機の識別情報とその受信機の設置位置情報とが関連付けられているデータとに基づいて、受け取った前記識別情報を持つ前記受信機の設置位置を検知し、当該検知した受信機の設置位置を、その受信機から受け取った前記個人識別情報を保持している前記情報保持体の所持者として登録されている登録者の所在位置として検知し、
当該検知した所在位置の情報を前記登録者の所在位置情報として当該登録者の前記個人識別情報と関連付けられた形態で内蔵あるいは外付けの記憶装置に書き込み、
前記登録者の所在位置情報に基づいて当該登録者の行先情報を表示する表示装置からの情報要求に応じた前記登録者の所在位置情報を前記記憶装置から読み出し、
当該読み出した所在位置情報を、前記情報要求を発した前記表示装置に返信することにより、前記表示装置に前記登録者の行先情報が表示される行先提示方法。
【請求項７】
個人識別情報を保持している情報保持体から前記個人識別情報を取得する受信機が取得した前記個人識別情報および当該受信機の識別情報を受け取る処理と、
受け取った前記個人識別情報と、前記受信機の識別情報と、前記受信機の識別情報とその受信機の設置位置情報とが関連付けられているデータとに基づいて、受け取った前記識別情報を持つ前記受信機の設置位置を検知し、当該検知した受信機の設置位置を、その受信機から受け取った前記個人識別情報を保持している前記情報保持体の所持者として登録されている登録者の所在位置として検知する処理と、
当該検知した所在位置の情報を前記登録者の所在位置情報として当該登録者の前記個人識別情報と関連付けられた形態で内蔵あるいは外付けの記憶装置に書き込む処理と、
前記登録者の所在位置情報に基づいて当該登録者の行先情報を表示する表示装置からの情報要求に応じた前記登録者の所在位置情報を前記記憶装置から読み出す処理と、
当該読み出した所在位置情報を、前記情報要求を発した前記表示装置に返信する処理と
をコンピュータに実行させる処理手順が示されているコンピュータプログラム。
【発明の詳細な説明】
【技術分野】
【０００１】
本発明は、行先情報を提示する技術に関する。
【背景技術】
【０００２】
会社等において各人の行先情報を提供する電子行先掲示板は、各人が情報を入力するタイプのものが主流である。このようなタイプのものでは、例えば、各人が入力する情報を誤ったり、情報を更新しない場合には、正確な行先情報を提供できないという問題が発生する。
【０００３】
特許文献１には、各人が携帯する名札に識別コード発信機を取り付け、この識別コード発信機から発信される識別コードに基づいて、各人の行先を自動的に更新するシステムが開示されている。特許文献２には、テレビに表示される電子番組表を設定の時間毎に更新する技術が開示されている。
【先行技術文献】
【特許文献】
【０００４】
【特許文献１】特開平５−６３７６号公報
【特許文献２】特表２００２-５０７８６６号公報
【発明の概要】
【発明が解決しようとする課題】
【０００５】
ところで、特許文献１に記載されている構成では、複数の行先表示板のそれぞれが、識別コード発信機から発信される信号（識別コード）を受信する機能と、受信した識別コードに基づいて外出者の行先を検知し当該検知した行先を表示する機能とを備えている。このため、行先表示板を追加する際には、その追加する行先表示板に対して、識別コード発信機からの信号を受信可能にする設定作業や、識別コードに基づいて外出者の行先を検知する際に必要なデータの入力作業が必要となる。
【０００６】
本発明は上記課題を解決するために成されたものである。すなわち、本発明の主な目的は、行先表示対象者の所在位置に応じた行先を検知し当該行先を表示でき、その上、行先を表示する表示装置を追加する場合に当該表示装置に対する立ち上げの設定作業が容易となる技術を提供することにある。
【課題を解決するための手段】
【０００７】
上記目的を達成するために、本発明の行先提示システムは、
個人識別情報を保持している情報保持体から前記個人識別情報を取得する受信機と、
前記受信機と接続され前記受信機が取得した前記個人識別情報および当該受信機の識別情報を受け取るデータ管理装置と
を備え、
前記データ管理装置は、
受け取った前記個人識別情報と、前記受信機の識別情報と、前記受信機の識別情報とその受信機の設置位置情報とが関連付けられているデータとに基づいて、受け取った前記識別情報を持つ前記受信機の設置位置を検知し、当該検知した受信機の設置位置を、その受信機から受け取った前記個人識別情報を保持している前記情報保持体の所持者として登録されている登録者の所在位置として検知する機能と、
当該検知した所在位置の情報を前記登録者の所在位置情報として当該登録者の前記個人識別情報と関連付けられた形態で内蔵あるいは外付けの記憶装置に書き込む機能と、
前記登録者の所在位置情報に基づいて当該登録者の行先情報を表示する表示装置からの情報要求に応じた前記登録者の所在位置情報を前記記憶装置から読み出し、当該読み出した所在位置情報を、前記情報要求を発した前記表示装置に返信する機能と
を備える。
【０００８】
また、本発明の行先提示方法は、
個人識別情報を保持している情報保持体から前記個人識別情報を取得する受信機が取得した前記個人識別情報および当該受信機の識別情報を受け取り、
受け取った前記個人識別情報と、前記受信機の識別情報と、前記受信機の識別情報とその受信機の設置位置情報とが関連付けられているデータとに基づいて、受け取った前記識別情報を持つ前記受信機の設置位置を検知し、当該検知した受信機の設置位置を、その受信機から受け取った前記個人識別情報を保持している前記情報保持体の所持者として登録されている登録者の所在位置として検知し、
当該検知した所在位置の情報を前記登録者の所在位置情報として当該登録者の前記個人識別情報と関連付けられた形態で内蔵あるいは外付けの記憶装置に書き込み、
前記登録者の所在位置情報に基づいて当該登録者の行先情報を表示する表示装置からの情報要求に応じた前記登録者の所在位置情報を前記記憶装置から読み出し、
当該読み出した所在位置情報を、前記情報要求を発した前記表示装置に返信することにより、前記表示装置に前記登録者の行先情報が表示される。
【０００９】
さらに、本発明のコンピュータプログラムは、
個人識別情報を保持している情報保持体から前記個人識別情報を取得する受信機が取得した前記個人識別情報および当該受信機の識別情報を受け取る処理と、
受け取った前記個人識別情報と、前記受信機の識別情報と、前記受信機の識別情報とその受信機の設置位置情報とが関連付けられているデータとに基づいて、受け取った前記識別情報を持つ前記受信機の設置位置を検知し、当該検知した受信機の設置位置を、その受信機から受け取った前記個人識別情報を保持している前記情報保持体の所持者として登録されている登録者の所在位置として検知する処理と、
当該検知した所在位置の情報を前記登録者の所在位置情報として当該登録者の前記個人識別情報と関連付けられた形態で内蔵あるいは外付けの記憶装置に書き込む処理と、
前記登録者の所在位置情報に基づいて当該登録者の行先情報を表示する表示装置からの情報要求に応じた前記登録者の所在位置情報を前記記憶装置から読み出す処理と、
当該読み出した所在位置情報を、前記情報要求を発した前記表示装置に返信する処理と
をコンピュータに実行させる処理手順が示されている。
【００１０】
なお、本発明の前述した主な目的は、本発明の行先提示システムに対応する本発明の行先提示方法によっても達成される。また、本発明の前述した主な目的は、本発明の行先提示システムおよび行先提示方法に対応するコンピュータプログラムおよびこのプログラムを記憶しているプログラム記憶媒体によっても達成される。
【発明の効果】
【００１１】
本発明によれば、行先表示対象者の所在位置に応じた行先を検知し当該行先を表示でき、その上、行先を表示する表示装置を追加する場合に当該表示装置に対する立ち上げの設定作業を容易にできる。
【図面の簡単な説明】
【００１２】
【図１】本発明に係る第１実施形態の行先提示システムの構成を簡略化して表すブロック図である。
【図２】本発明に係る第２実施形態の行先提示システムの構成を簡略化して表すブロック図である。
【図３】記憶装置に登録されるデータの一例を説明する図である。
【図４】表示装置に表示される登録者の行先情報の一例を表す図である。
【図５】第２実施形態の行先提示システムが実行する処理手順の一例を説明するシーケンス図である。
【発明を実施するための形態】
【００１３】
以下に、本発明に係る実施形態を図面を参照しつつ説明する。
【００１４】
＜第１実施形態＞
図１は、本発明に係る第１実施形態の行先提示システムの構成を簡略化して表すブロック図である。第１実施形態の行先提示システム１は、行先を表示する対象者（行先表示対象者）が意識的に情報を手入力することなく行先表示対象者の所在位置に応じた行先を表示（提示）可能にすべく、受信機３と、データ管理装置４とを備えている。
【００１５】
受信機３は、例えば、行先表示対象者の行先を特定できる予め設定された場所に設置される。第１実施形態の行先提示システム１では、行先表示対象者は、個人識別情報を保持している情報保持体を所持しており、受信機３は、情報保持体から個人識別情報を取得する回路構成を備えている。
【００１６】
データ管理装置４は、受信機３と有線あるいは無線により接続され、受信機３が取得した個人識別情報と当該個人識別情報を取得した受信機３の識別情報を受信機３から受け取り可能な構成を備えている。データ管理装置４は、さらに、受信機３から受け取った個人識別情報と、受信機３の識別情報と、受信機３の識別情報とその受信機３の設置位置情報とが関連付けられているデータとに基づいて、受け取った識別情報を持つ受信機３の設置位置を検知する機能を備えている。さらに、データ管理装置４は、その検知した受信機３の設置位置を、その受信機３から受け取った個人識別情報を保持している情報保持体の所持者として登録されている登録者の所在位置として検知する機能を備えている。
【００１７】
さらに、データ管理装置４は、その検知した所在位置の情報を登録者の所在位置情報として当該登録者の個人識別情報と関連付けられた形態で内蔵あるいは外付けの記憶装置に書き込む機能を備えている。
【００１８】
さらにまた、データ管理装置４は、登録者の所在位置情報に基づいて当該登録者の行先情報を表示する表示装置からの情報要求に応じた登録者の所在位置情報を記憶装置から読み出し、当該読み出した所在位置情報を、情報要求を発した表示装置に返信する機能を備えている。
【００１９】
この第１実施形態の行先提示システム１は、上記のような受信機３とデータ管理装置４を備えている。このため、例えば行先表示対象者（登録者）が携帯（所持）している情報保持体から受信機３が個人識別情報を取得することにより、行先提示システム１は、行先表示対象者が情報を入力することなく行先表示対象者の所在位置に応じた行先を表示（提示）可能である。また、行先表示対象者が移動した場合には、行先提示システム１は、行先表示対象者が情報を入力することなく、その移動先に応じた行先表示対象者の所在位置である行先に表示（提示）内容を変更できる。これにより、行先提示システム１は、提示している行先情報に対する信頼性を高めることができる。
【００２０】
また、この第１実施形態の行先提示システム１では、データ管理装置４が、行先表示対象者（登録者）の情報保持体から発信された個人識別情報を受信する機能と、当該個人識別情報に基づいて行先表示対象者（登録者）の所在位置を検知する機能とを備えている。また、第１実施形態の行先提示システム１では、データ管理装置４から表示装置に行先表示対象者（登録者）の所在位置情報を提供し、表示装置は、その提供された所在位置情報を表示する。つまり、表示装置は、情報保持体から発信された個人識別情報を受信する機能や、個人識別情報に基づいて行先表示対象者（登録者）の所在位置を検知する機能を持たなくともよい。このため、行先提示システム１は、表示装置を追加する際に、表示装置の設定作業を軽減できる。
【００２１】
＜第２実施形態＞
以下に、本発明に係る第２実施形態を説明する。
【００２２】
図２は、本発明に係る第２実施形態の行先提示システム１０の構成を簡略化して表すブロック図である。この第２実施形態の行先提示システム１０は、行先を表示する対象者（行先表示対象者）が所在位置の情報を入力することなく当該行先表示対象者の所在位置に応じた行先を表示（提示）可能にするシステムである。この行先提示システム１０は、受信機１２と、データ管理装置１３と、表示装置１４とを備えている。
【００２３】
受信機１２は、行先表示対象者の行先（所在位置）を特定可能な場所に設置される。例えば、会議室等の部屋の出入り口や、建物の出入り口などに、受信機１２が設置される。この第２実施形態では、行先表示対象者が所持する名札や社員証や入館証等のカード１６には記憶装置（図示せず）が内蔵され、この記憶装置には、カード１６の所持者を識別する個人識別情報が保持されている。つまり、カード１６は、情報保持体として機能する。
【００２４】
受信機１２は、カード１６の個人識別情報を受信機１２が取得できるように、カード１６の構成が考慮された回路構成を備えている。具体例を挙げると、例えば、カード１６は、ＩＣ（Integrated Circuit）カードや磁気カードの構成を備え、受信機１２は、そのようなカード１６の種類に応じた読み取り機の構成を備える。あるいは、カード１６は、例えば、ＲＦＩＤ（Radio Frequency IDentifier）カードであってもよく、この場合には、受信機１２は、非接触電力伝送技術により、カード１６の情報を取得する読み取り機の構成を備える。
【００２５】
受信機１２は、時計機構（図示せず）を備えている。受信機１２は、カード１６から個人識別情報を取得したときに、時計機構から、個人識別情報の取得時刻を検知し、この取得時刻情報を関連付けた個人識別情報を、データ管理装置１３に向けて送信する機能を備えている。
【００２６】
なお、図２の例では、受信機１２は、１台のみ記載されているが、受信機１２の設置台数は複数でもよい。受信機１２の数および設置場所は適宜設定されるものであり、限定されない。
【００２７】
データ管理装置１３は、受信機１２および表示装置１４と有線あるいは無線により接続されている。データ管理装置１３は、制御装置２０と、記憶装置２１とを備えている。記憶装置２１は、データやコンピュータプログラム（以下、略してプログラムとも記す）を記憶（格納）する構成を備えている。なお、データ管理装置１３は、外付けの記憶装置２２に接続されていてもよい。
【００２８】
この第２実施形態では、記憶装置２１あるいは記憶装置２２には、図３に表されるような関係データが記憶される。すなわち、その記憶される関係データの一つは、行先表示対象者である登録者の氏名と、その個人識別情報とが関連付けられている登録者データＤpである。また、別の関係データの一つは、受信機１２の識別情報とその設置場所を表す設置位置情報とが関連付けられている受信機データＤrである。これらのデータＤp，Ｄrは、例えばシステムの管理者や作業者により入力される情報に基づいたデータである。
【００２９】
さらに、記憶装置２１あるいは記憶装置２２には、データ管理装置１３により生成される登録者の所在位置情報であるデータＤsが格納される。このデータ（登録者の所在位置データ）Ｄsは、登録者の個人識別情報と、氏名と、受信機１２による個人識別情報の取得時刻情報と、個人識別情報を取得した受信機１２の設置位置情報とが関連付けられているデータである。
【００３０】
制御装置２０は、例えばＣＰＵ（Central Processing Unit）を備えている。この制御装置２０は、記憶装置２１に記憶されているコンピュータプログラムを読み出し、当該コンピュータプログラムを実行することにより、様々な機能を持つことができる。例えば、制御装置２０は、機能部として、検知部２５と、書き込み部２６と、送信部２７とを有している。
【００３１】
検知部２５は、受信機１２から個人識別情報を受け取った場合に、当該個人識別情報と、記憶装置２１（２２）における登録者データＤpとに基づいて、受け取った個人識別情報が付与されている登録者（カード１６の所持者）の氏名を検知する機能を備えている。
【００３２】
また、検知部２５は、受け取った個人識別情報に関連付けられている受信機１２の識別情報と、記憶装置２１（２２）における受信機データＤrとに基づいて、個人識別情報を取得した受信機１２の設置位置を検知する機能を備えている。さらに、検知部２５は、上記したように受信機１２から受け取った情報と、記憶装置２１（２２）におけるデータＤp，Ｄrから得られた（検知した）情報とに基づいて、登録者（カード１６の所持者）の所在位置を検知する機能を備えている。
【００３３】
具体的には、例えば、識別情報id-Ｐ１を持つ受信機１２から個人識別情報ＩＤ-Ｎがデータ管理装置１３に送信されてきたとする。この場合には、検知部２５は、記憶装置２１（２２）における受信機データＤrと、受信機１２の識別情報id-Ｐ１とに基づいて、個人識別情報ＩＤ-Ｎを送信してきた受信機１２が場所Ｒnに設置されていることを検知する。つまり、検知部２５は、個人識別情報ＩＤ-Ｎが付与されている登録者（カード１６の所持者：氏名Ｎ）の所在位置が場所Ｒnであることを検知する。
【００３４】
さらに、検知部２５は、上記したように得られた個人識別情報と、当該個人識別情報を持つ登録者の氏名と、個人識別情報を取得した時刻情報と、その個人識別情報を取得した場所（所在位置）とを関連付けた所在位置データＤsを生成する機能を備える。
【００３５】
書き込み部２６は、検知部２５により生成された所在位置データＤsを記憶装置２１（２２）に登録する（書き込む）機能を備えている。この第２実施形態では、全ての登録者に関する所在位置データＤsがまとめられている全体データと、登録者毎の個人データとが記憶装置２１（２２）に格納されている。全体データには、書き込み部２６によって、各登録者の最新の所在位置データのみが登録されている。これに対し、個人データには、書き込み部２６によって、各登録者の所在位置のデータが蓄積されていく。これにより、個人データは、登録者の所在位置の時間的な変化（移動経路）を取得できるデータとなっている。
【００３６】
送信部２７は、表示装置１４から、個人識別情報を含む情報要求を受け取った場合に、その個人識別情報を持つ登録者（カード１６の所持者）の所在位置データＤsを記憶装置２１（２２）から読み出す機能を備えている。さらに、送信部２７は、その読み出した登録者の所在位置データＤsを、情報要求を発した表示装置１４に向けて送信する機能を備えている。
【００３７】
表示装置１４は、１台あるいは複数台設置される。表示装置１４は、表示画面（ディスプレイ）３０を備え、行先表示対象者の行先を表示画面３０に表示する機能を備えている。すなわち、表示装置１４は、制御装置３１と、記憶装置３２とを備えている。
【００３８】
記憶装置３２は、データやコンピュータプログラム（プログラム）を記憶する構成を備えている。また、この第２実施形態では、記憶装置３２には、表示画面３０に行先を表示する対象者（登録者）の個人識別情報が格納されている。また、記憶装置３２には、行先表示対象者の所在位置（行先）情報を更新する設定のタイミングの情報が格納されている。なお、行先提示システム１０を構成する表示装置１４が複数台有る場合には、各表示装置１４毎に、行先提示システム１０に登録されている全ての登録者の中から例えばシステム管理者等により選択された登録者の個人識別情報が格納される。あるいは、表示装置１４における記憶装置３２には、行先提示システム１０に登録されている全ての登録者の個人識別情報が格納されてもよい。また、記憶装置３２に登録される情報更新のタイミングの情報は、例えばシステム管理者等により入力される。
【００３９】
制御装置３１は、例えばＣＰＵ（Central Processing Unit）を備え、記憶装置３２から読み出したコンピュータプログラムを実行することにより、様々な機能を持つことができる。この第２実施形態では、制御装置３１は、データ管理装置１３から取得した行先表示対象者の所在位置データＤsに基づいて、行先表示対象者の行先を表示画面３０に表示する機能を備えている。また、制御装置３１は、行先表示対象者の個人識別情報を含む情報要求を、記憶装置３２に登録されている設定のタイミング毎にデータ管理装置１３に向けて送信する機能を備えている。さらに、制御装置３１は、その情報要求に応じてデータ管理装置１３から返信されてきた所在位置データＤsに基づいて、行先表示対象者の行先の表示を更新する機能を備えている。
【００４０】
図４は、表示装置１４の表示画面３０における行先表示対象者の行先の表示例を表す図である。図４の例では、行先表示対象者の氏名と当該行先表示対象者の所在位置（行先）と当該所在が検知（取得）された時間とが関連付けられた表の態様でもって、行先表示対象者の行先が表示されている。
【００４１】
図５は、第２実施形態の行先提示システム１０が実行する処理の流れを説明するシーケンス図である。この図５を利用して、行先提示システム１０の処理を説明する。
【００４２】
例えば、登録者Ａが会議室（場所Ｒa）に入室したとする。これにより、会議室（場所Ｒa）に設置されている受信機１２が、その登録者Ａのカード（名札や社員証や入館証など）１６から登録者Ａの個人識別情報ＩＤ-Ａを取得する（ステップＳ２０１）。そして、受信機１２は、その個人識別情報ＩＤ-Ａに、受信機１２の識別情報ｉｄ-Ｐ１と、取得時刻（HH:MM）の情報とを関連付け、その後、個人識別情報ＩＤ−Ａをデータ管理装置１３に送信する（ステップＳ２０２）。
【００４３】
データ管理装置１３の制御装置２０（検知部２５）は、個人識別情報ＩＤ-Ａを受け取ると、その個人識別情報ＩＤ-Ａが付与されている登録者の氏名Ａを記憶装置２１（２２）における登録者データＤpから読み出す。また、制御装置２０（検知部２５）は、個人識別情報ＩＤ-Ａに関連付けられている受信機１２の識別情報ｉｄ-Ｐ１に基づいて、当該受信機１２の設置位置（Ｒa）の情報を受信機データＤrから読み出す。さらに、制御装置２０（検知部２５）は、受け取った個人識別情報ＩＤ-Ａと、取得時刻（HH:MM）の情報と、記憶装置２１（２２）から読み出した登録者の氏名Ａと、受信機１２の設置場所（Ｒa）の情報とを関連付けることにより、所在位置データＤsを生成する。つまり、制御装置２０（検知部２５）は、個人識別情報ＩＤ-Ａを取得した受信機１２の設置位置（場所Ｒa）を、個人識別情報ＩＤ-Ａを保持しているカード（情報保持体）１６の所在位置（すなわち、登録者の所在位置）として検知する（ステップＳ２０３）。然る後に、制御装置２０（書き込み部２６）は、生成した所在位置データＤsを記憶装置２１（２２）に書き込む（ステップＳ２０４）。
【００４４】
一方、表示装置１４の記憶装置３２には、行先表示対象者（登録者）の個人識別情報と、情報要求を発信する設定のタイミングの情報とが格納されている。表示装置１４の制御装置３１は、その設定のタイミング毎に、行先表示対象者（登録者）の個人識別情報を含む情報要求をデータ管理装置１３に向けて送信する（ステップＳ３０１）。データ管理装置１３の制御装置２０（送信部２７）は、情報要求を受け取ると、その情報要求と共に受け取った個人識別情報に対応する所在位置データＤsを記憶装置２１（２２）から読み出す（ステップＳ３０２）。そして、制御装置２０（送信部２７）は、その読み出した所在位置データＤsを、情報要求を発した表示装置１４に向けて返信する（ステップＳ３０３）。
【００４５】
表示装置１４の制御装置３１は、所在位置データＤsを受け取ると（ステップＳ３０４）、当該所在位置データＤsに基づいて登録者の行先（所在位置）の表示内容を更新する（ステップＳ３０５）。
【００４６】
第２実施形態の行先提示システム１０は、上記のように行先表示対象者の所在位置を取得し、また、取得した情報に基づいて行先表示対象者の行先（所在位置）を表示する処理を実行する。なお、データ管理装置１３の記憶装置２１には、制御装置２０が実行する上記のような処理の手順が示されているコンピュータプログラムが格納されている。
【００４７】
第２実施形態の行先提示システム１０は、上記したように構成されているため、第１実施形態と同様に、行先表示対象者（登録者）が情報を入力することなく、行先表示対象者の所在位置に応じた行先を表示できるという効果を得ることができる。また、行先提示システム１０は、行先表示対象者が移動した場合に、行先の表示（提示）内容をその移動先に変更することができる。これにより、行先提示システム１０は、行先表示対象者の行先表示に対する信頼性を高めることができる。
【００４８】
その上、行先提示システム１０では、受信機１２からの情報を受ける機能と、行先表示対象者の所在位置を検知する機能とをデータ管理装置１３が持つ構成である。このため、表示装置１４は、データ管理装置１３から提供される情報を表示するという簡単な構成を備えていればよい。これにより、行先提示システム１０は、表示装置１４を追加する際に当該表示装置１４の立ち上げの設定作業の軽減を図ることができる。
【００４９】
＜その他の実施形態＞
なお、本発明は、第１と第２の実施形態に限定されず、様々な実施の形態を採り得る。例えば、第２実施形態の説明では、制御装置２０の機能部である検知部２５と書き込み部２６と送信部２７は、ソフトウェア（コンピュータプログラム）によって実現される例を示している。これに代えて、検知部２５と書き込み部２６と送信部２７のうちの一部あるいは全部は、ハードウェアによって実現されてもよい。
【００５０】
さらに、第２実施形態における登録者データＤpと受信機データＤrと所在位置データＤsは、同じ記憶装置に格納されてもよいし、所在位置データＤsは、登録者データＤpおよび受信機データＤrが格納されている記憶装置とは別個の記憶装置に格納されてもよい。
【００５１】
さらに、第２実施形態では、受信機１２は、個人識別情報を取得した時刻の情報を個人識別情報に関連付け、当該個人識別情報をデータ管理装置１３に送信する。これに対し、例えば、データ管理装置１３が生成する所在位置データＤsに取得時刻情報を含まない場合のように、データ管理装置１３が取得時刻情報を利用しない場合には、受信機１２は、取得情報が関連付けられていない個人識別情報を送信してもよい。
【符号の説明】
【００５２】
１，１０  行先提示システム
３，１２  受信機
４，１３  データ管理装置
１４  表示装置
１６  カード
２１，２２  記憶装置
【図１】
2017068626.tif 000003
【図２】
2017068626.tif 000004
【図３】
2017068626.tif 000005
【図４】
2017068626.tif 000006
【図５】
2017068626.tif 000007